(57)【特許請求の範囲】
【請求項１】
薬液を収容する容器本体と、該容器本体の口部に装着するアダプタと、該アダプタのソケット部に収納する成形品の塗布体と、前記ソケット部の前面に装着するカバーとを備えてなり、前記アダプタは、前記容器本体に連通する薬液の流出孔を前記ソケット部の奥部に形成し、前記塗布体は、前記ソケット部の前面に露出する塗布面と、該塗布面の後方のガイド部と、前記ソケット部の斜めの奥壁に係合して前記ガイド部の後端の栓部を前記流出孔に正対させる左右のガイドボスとを有し、前記カバーを装着すると前記ソケット部に押し込まれ、前記栓部を介して前記流出孔を閉じることを特徴とする塗布容器。
【請求項２】
前記塗布体は、前記ソケット部において、所定のストロークだけ前後に相対移動可能であることを特徴とする請求項１記載の塗布容器。
【請求項３】
前記塗布体は、前記ガイド部に形成する係合突部を前記ソケット部の内面の係合リブに係合させて前記ストロークを規定することを特徴とする請求項２記載の塗布容器。
【請求項４】
前記塗布体は、前記塗布面の全周に亘り、前記ソケット部の前端部内面との間に薬液の流出用の隙間を形成することを特徴とする請求項１ないし請求項３のいずれか記載の塗布容器。
【発明の詳細な説明】
【技術分野】
【０００１】
この発明は、たとえば消炎鎮痛剤などの薬液（一般的な性状の薬液の他、たとえば軟膏やクリームなどの高粘度の薬液を含む、以下同じ）を塗布するための塗布容器に関する。
【背景技術】
【０００２】
大面積の塗布部位に対して便利に使用可能な塗布容器が提案されている（たとえば特許文献１）。
【０００３】
従来の塗布容器は、薬液を収容する容器本体の口部に下キャップを装着し、下キャップの上部に上キャップを相対回転可能に連結し、上キャップに形成するソケット部に対し、ホルダを介して連続気泡のスポンジ材の塗布部材を収納するとともに、塗布部材を保護するカバーを付設して構成されている。下キャップの上部には、容器本体に連通する横向きの連通孔付きの中筒が上向きに形成され、上キャップには、ソケット部の奥部に開口する流出孔が形成されている。そこで、下キャップに対して上キャップを正逆に相対回転させることにより、上キャップ側の流出孔が下キャップ側の連通孔に対面する開位置と、流出孔が連通孔から外れる閉位置とに切り換えることができ、上キャップを開位置にすることにより、塗布部材を介して薬液を塗布することができる。なお、塗布部材は、大形の横長に形成し、大面積の塗布部位に対する塗布作業を快適にすることができる。
【先行技術文献】
【特許文献】
【０００４】
【特許文献１】特開２０１４−１００８号公報
【発明の概要】
【発明が解決しようとする課題】
【０００５】
かかる従来技術によるときは、下キャップに対して上キャップを相対回転させて開位置、閉位置に切り換えるため、切換操作が煩雑であるという問題があった。また、塗布部材がスポンジ材であるため、専用のホルダが必須であり、相対回転可能な上キャップ、下キャップを使用することと相俟って、部品点数が多くなり、全体構成が複雑になりがちであるという問題もあった。
【０００６】
そこで、この発明の目的は、かかる従来技術の問題に鑑み、成形品の塗布体と、アダプタ、カバーとを組み合わせることによって、使い勝手がよく、部品点数を少なくして全体構成を簡素化することができる塗布容器を提供することにある。
【課題を解決するための手段】
【０００７】
かかる目的を達成するためのこの発明の構成は、薬液を収容する容器本体と、容器本体の口部に装着するアダプタと、アダプタのソケット部に収納する成形品の塗布体と、ソケット部の前面に装着するカバーとを備えてなり、アダプタは、容器本体に連通する薬液の流出孔をソケット部の奥部に形成し、塗布体は、ソケット部の前面に露出する塗布面と、塗布面の後方のガイド部と、ソケット部の斜めの奥壁に係合してガイド部の後端の栓部を流出孔に正対させる左右のガイドボスとを有し、カバーを装着するとソケット部に押し込まれ、栓部を介して流出孔を閉じることをその要旨とする。
【０００９】
また、塗布体は、ソケット部において、所定のストロークだけ前後に相対移動可能としてもよく、ガイド部に形成する係合突部をソケット部の内面の係合リブに係合させてストロークを規定してもよく、塗布面の全周に亘り、ソケット部の前端部内面との間に薬液の流出用の隙間を形成してもよい。
【発明の効果】
【００１０】
かかる発明の構成によるときは、塗布体は、軟質樹脂材料により一体成形する成形品であり、スポンジ材でないため、専用のホルダを用いる必要がなく、アダプタの流出孔は、ソケット部にカバーを装着することにより、塗布体のガイド部の後端の栓部を介して自動的に閉じることができ、全体としての部品点数を最少にして全体構成を簡素化するとともに、煩雑な切換操作をなくして使用時の使い勝手を向上させることができる。なお、成形品の塗布体は、塗布面を滑らかな光沢面にする他、つや消しの梨子地面や、波形形状などにして好みの肌触りを容易に実現することができる他、スポンジ材に比して汚れ難いという利点がある。
【００１１】
塗布体に形成する左右のガイドボスは、カバーの装着時にソケット部の斜めの奥壁に係合し、ソケット部内における塗布体の姿勢を整えて栓部を流出孔に正対させ、カバーを装着すると同時に、栓部を介して流出孔を自動的に、しかも確実に閉じることができる。
【００１２】
ソケット部において前後に相対移動可能な塗布体は、カバーを装着すると、ソケット部に後退限にまで押し込まれ、栓部を介して流出孔を閉じる一方、カバーを外すと、たとえば自重により前進限まで前進して流出孔を開くとともにソケット部の内面との間に適切な隙間を形成し、流出孔からの薬液を塗布面の周囲に流出させることができる。そこで、塗布面を塗布部位に接触させて前後左右に移動させれば、塗布部位の表面に薬液を円滑に塗布することができる。
【００１３】
塗布体のガイド部に形成する係合突部は、ソケット部の内面の係合リブに後方側から係合して塗布体の前進限を規定するとともに、塗布体を抜け止めすることができる。ただし、塗布体は、ソケット部に収納するに際し、係合突部が係合リブを前方側から後方側に乗り越えるものとする。
【００１４】
塗布面の全周に隙間を形成する塗布体は、塗布部位における塗布体の移動方向により薬液の流出量が極端に変動することがなく、常に良好な塗布性能を実現することができる。ただし、このときの隙間は、塗布面の全周について実質的に均一であることが好ましい。
【図面の簡単な説明】
【００１５】
【図１】全体構成分解斜視説明図
【図２】全体構成説明図
【図３】図２の要部拡大説明図
【図４】図２（Ｂ）のＸ3 −Ｘ3 線矢視相当拡大断面図
【図５】使用状態を示す要部構成説明図（１）
【図６】使用状態を示す要部構成説明図（２）
【図７】動作説明図（１）
【図８】動作説明図（２）
【図９】他の実施の形態を示す要部構成説明図（１）
【図１０】他の実施の形態を示す要部構成説明図（２）
【図１１】他の実施の形態を示す要部構成説明図（３）
【図１２】他の実施の形態を示す要部構成説明図（４）
【発明を実施するための形態】
【００１６】
以下、図面を以って発明の実施の形態を説明する。
【００１７】
塗布容器は、容器本体１０、アダプタ２０、塗布体３０、カバー４０を組み合わせてな
る（図１、図２）。ただし、図１（Ａ）、（Ｂ）は、それぞれ全体分解斜視図、アダプタ２０の別角度からの斜視図であり、図２（Ａ）、（Ｂ）は、それぞれ全体組立縦断面図、同図（Ａ）のＸ1 −Ｘ1 線矢視相当断面図である。
【００１８】
容器本体１０は、縦長の円筒状の胴部１１の上端に円形の口部１２を形成する柔軟なプラスチック容器である。容器本体１０は、薬液の収容用であり、胴部１１を押圧して変形させることにより、内部の薬液を強制的に流出させることができる。口部１２の下部外周には、小径の係合リブ１３、大径の環状リブ１４が上下に形成されており、係合リブ１３の上方には、軸方向のガイドリブ１５、１５…が上向きに形成されている。なお、各ガイドリブ１５は、上端を山形に形成するとともに、４条が口部１２の周方向に９０°おきに等間隔に形成されている。
【００１９】
アダプタ２０は、本体部２１の上端に斜め上向きのソケット部２２を一体に形成して構成されている。
【００２０】
本体部２１は、容器本体１０の口部１２に適合する下向き円筒状に形成されている。本体部２１の天面には、シール用のスカート部２３が垂設され、本体部２１の下端部内面には、口部１２側の係合リブ１３に係合する環状の抜止め用の係合部２１ａが形成されている。また、本体部２１の内面には、口部１２側のガイドリブ１５、１５…に対応する軸方向のガイドリブ２１ｂ、２１ｂ…が形成されている（図２（Ａ）、図３（Ａ））。なお、ガイドリブ２１ｂ、２１ｂ…は、ガイドリブ１５の幅相当の間隔ごとに８条が等間隔に形成されている。そこで、アダプタ２０は、本体部２１を口部１２に被せるようにして、水密に、しかも相対回転不能に口部１２に連結することができる。ただし、図３（Ａ）は、図２（Ａ）のＸ2 −Ｘ2 線矢視相当断面図であり、図３（Ｂ）、（Ｃ）は、それぞれ図２（Ａ）、図２（Ｂ）の要部拡大図である。
【００２１】
アダプタ２０のソケット部２２は、本体部２１と一体の平板状の支持部の先端に横長の開口部を前向きに形成して構成されている（図１、図２）。ソケット部２２の内部は、塗布体３０を収納可能な中空に形成されており、ソケット部２２の奥部には、薬液の流出孔２４が形成されている。なお、流出孔２４は、本体部２１、口部１２を介して容器本体１０の胴部１１に連通している。
【００２２】
塗布体３０は、たとえばＬＤＰＥ、ＬＬＤＰＥのような樹脂材料、または、たとえばアルミニウムなどの金属材料により成形されており、アダプタ２０のソケット部２２の開口部に適合する塗布面３１の後方に平板状のガイド部３２を付設して構成されている。ガイド部３２は、ソケット部２２の平板状の支持部に収納可能であり、ガイド部３２の後端には、流出孔２４の閉止用の栓部３３、左右のガイドボス３４、３４が形成されている。また、ガイド部３２の上下両面には、それぞれ長方形の係合突部３５、３５が横向きに一直線状に配列して形成されている。
【００２３】
カバー４０は、アダプタ２０のソケット部２２の開口部の前面に被せるようにして着脱自在に装着する蓋体である。横長のカバー４０の上辺、下辺には、それぞれ操作用の爪部４１が形成されており、カバー４０の内部天面には、横長の直線状の突条４２が形成されている。そこで、カバー４０は、塗布体３０をソケット部２２に収納し、両端部内面をソケット部２２の開口部の両端に外側から弾発的に係合させてソケット部２２の前面に装着すると、突条４２を介して塗布体３０をソケット部２２に押し込んで位置決めし、塗布体３０の栓部３３を介して流出孔２４を閉じることができる（図２、図３（Ｂ））。なお、このとき、塗布体３０のガイドボス３４、３４は、それぞれソケット部２２の斜めの奥壁の中途に係合して塗布体３０の姿勢を整え（図２（Ｂ）、図３（Ｃ））、栓部３３を流出孔２４に正対させることができる。
【００２４】
一方、ソケット部２２内の塗布体３０は、ガイド部３２の両面の係合突部３５、３５…がそれぞれソケット部２２の支持部の内面の対応する係合リブ２５に係合して抜け止めされている（図４）。ただし、塗布体３０は、ソケット部２２内において、各係合突部３５、係合リブ２５の離間距離相当のストロークｄだけ前後に相対移動可能である。また、塗布体３０は、カバー４０を介してソケット部２２の奥部に押し込まれているとき、塗布面３１の全周とソケット部２２の開口部の前端内面との間に実質的に均一な隙間ａを形成することができる。なお、塗布面３１は、四周の周縁部が中央の平面部に向けて滑らかに膨出しており（図２、図４）、塗布面３１の後面側には、ソケット部２２側の上下の段部２２ａ、２２ａ、塗布面３１の後面の四周に沿うリブ３１ａを介し、上下の薬液溜めｂ、ｂが形成されている（図１、図４）。
【００２５】
かかる塗布容器は、カバー４０を取り外してソケット部２２内の塗布体３０を露出させると（図５）、塗布体３０は、図４の所定のストロークｄの範囲でソケット部２２内に前後動可能となり、その前進限において栓部３３が流出孔２４を開放するとともに（図５（Ｂ）、（Ｃ））、左右のガイドボス３４、３４がそれぞれソケット部２２の斜めの奥壁から離れる（図５（Ｂ）、（Ｄ））。なお、流出孔２４の前端には、栓部３３をガイドして着座させるために斜めのテーパ面２４ａが形成されている（図５（Ｃ））。ただし、図５（Ａ）、（Ｂ）は、それぞれ図２（Ａ）相当の縦断面図、図５（Ａ）のＸ1 −Ｘ1 線矢視相当断面図であり、図５（Ｃ）、（Ｄ）は、それぞれ同図（Ａ）、（Ｂ）の要部拡大図である。
【００２６】
なお、ソケット部２２内の塗布体３０は、仮に長手方向の一方に偏って傾くようなことがあっても（図６）、カバー４０をソケット部２２の開口部の前面に装着して塗布体３０をソケット部２２に押し込むことにより、左右のガイドボス３４、３４がソケット部２２の斜めの奥壁に係合し、栓部３３を介して流出孔２４を正しく再封止することができる（図２、図３（Ｂ）、（Ｃ））。また、塗布体３０の短手方向の偏りは、栓部３３がテーパ面２４ａを介して流出孔２４に正しく対向することにより修正される。ただし、図６（Ａ）〜（Ｄ）は、それぞれ図５（Ａ）〜（Ｄ）相当図である。
【００２７】
そこで、塗布容器は、容器本体１０に薬液Ｌを収容し、カバー４０を取り外してアダプタ２０のソケット部２２、塗布体３０を下向きに保持し（図７（Ａ））、必要に応じて容器本体１０の胴部１１を押圧して変形させると、ソケット部２２内の塗布体３０が前進限に移動して流出孔２４が開放される。したがって、容器本体１０からの薬液Ｌは、流出孔２４を経て塗布体３０の塗布面３１の後面側の各薬液溜めｂを含む空間ｃ、ｃに流出し（図７（Ａ）の矢印方向）、さらに塗布面３１の四周の隙間ａを介して外部に流出する（同図（Ｂ）の矢印方向）。ただし、図７（Ａ）、（Ｂ）は、それぞれ使用状態を示す縦断面図、同図（Ａ）の要部拡大図である。
【００２８】
よって、その後、塗布容器の塗布体３０の塗布面３１を塗布部位の皮膚Ｓに軽く押し付けて皮膚Ｓに沿って移動させると（図８（Ａ）の矢印方向）、塗布面３１の四周の隙間ａからの薬液Ｌが皮膚Ｓ上に流出して拡がり、皮膚Ｓ上に薬液Ｌを円滑に塗布することができる（図８（Ｂ）の矢印方向）。なお、このようにして皮膚Ｓ上に薬液Ｌを塗布するとき、塗布体３０が前進限から距離ｄ1 ≦ｄ相当だけ後退する。ただし、図８（Ａ）、（Ｂ）は、それぞれ図７（Ａ）、（Ｂ）相当図である。
【他の実施の形態】
【００２９】
塗布体３０の塗布面３１には、後面側にまで貫通する細幅の長孔３１ｂ、３１ｂ…を形成することができる（図９）。長孔３１ｂ、３１ｂ…は、薬液Ｌが粘性を有する場合であっても、塗布面３１の後面側から前面側に薬液Ｌを適量ずつ流出させ、薬液Ｌの塗布時の作業性を一層良好にすることができる。なお、各長孔３１ｂの形状やサイズ、箇数、配列形態などは、図示に拘らず適宜変更可能である。ただし、図９（Ａ）、（Ｂ）は、それぞれ要部斜視図、同図（Ａ）のＸ1 −Ｘ1 線矢視相当の塗布体３０のみの拡大断面図である。
【００３０】
塗布体３０の塗布面３１は、複数の滑らかな波形形状の表面にしてもよい（図１０（Ａ））。また、塗布面３１は、たとえば円形に形成してもよい（同図（Ｂ））。ただし、このとき、アダプタ２０のソケット部２２の前端の開口部の形状も、塗布面３１に合わせるものとする。さらに、ソケット部２２、塗布体３０の塗布面３１は、容器本体１０、アダプタ２０の軸方向に一致させて上向きに形成してもよい（同図（Ｃ））。ただし、ソケット部２２、塗布面３１の方向は、容器本体１０、アダプタ２０の軸方向から０〜９０°の範囲に設定することができ、好ましくは６０°以下に設定し、塗布作業中に容器本体１０を保持する手が塗布部位の皮膚Ｓに触れないようにするのがよい。
【００３１】
塗布体３０は、ガイド部３２の両面に形成する係合突部３５、３５…を大面積に形成することにより（図１１）、ガイド部３２の各面の中央部、左右の両端部、塗布面３１側の基端部にそれぞれ薬液Ｌ用の流路３５ａを形成することができる。流路３５ａ、３５ａ…は、ガイド部３２とソケット部２２の支持部の内面との間に形成される隙間の流路抵抗を増大させるから、たとえば薬液Ｌの塗布作業時において、薬液Ｌが外部に過大に流出したり、有害なぼた落ちを生じたりするおそれを少なくすることができる。なお、各係合突部３５の高さは、ソケット部２２の支持部の内面との間に実質的な隙間を生じないように設定してもよく（図１１（Ｂ）、（Ｃ））、薬液Ｌの流出量を増加させるために、ソケット部２２の支持部の内面との間に適切な隙間を生じるように設定してもよい。
。また、係合突部３５、３５…の形状と、それによって形成される各流路３５ａの位置、形状、大きさなどは、薬液Ｌの性状に合わせて適宜調節して設定することができる。ただし、図１１（Ａ）は、塗布体３０の斜視図であり、図１１（Ｂ）、（Ｃ）は、それぞれ同図（Ａ）のＸ1 −Ｘ1 線、Ｘ2 −Ｘ2 線矢視相当の塗布体３０の使用状態拡大断面図である。
【００３２】
塗布体３０は、平板状のガイド部３２の全体形状をたとえば台形状や半月状などに変形することができる（図１２（Ａ）、（Ｂ））。なお、いずれの場合も、ソケット部２２は、その形状を塗布体３０の全体形状に合わせるものとし、塗布体３０のガイドボス３４、３４は、それぞれソケット部２２の斜めの奥壁に係合させるものとする。
【００３３】
以上の説明において、アダプタ２０は、容器本体１０の口部１２に対し、ねじを介して着脱自在に装着することができる。また、塗布体３０、ソケット部２２は、図２（Ｂ）、図１２（Ａ）、（Ｂ）のように左右対称に形成し、塗布面３１の全周について薬液Ｌを均一に流出させることができる。しかし、塗布体３０、ソケット部２２は、必ずしも左右対称に限定する必要がない。
【産業上の利用可能性】
【００３４】
この発明は、消炎鎮痛剤や筋肉消炎剤などの人体に塗布する薬液に限らず、たとえば糊材、各種のコーティング剤、洗浄剤などの任意の薬液の塗布用としても広く好適に適用することができる。
【符号の説明】
【００３５】
Ｌ…薬液
ｄ…ストローク
ａ…隙間
１０…容器本体
１２…口部
２０…アダプタ
２２…ソケット部
２４…流出孔
２５…係合リブ
３０…塗布体
３１…塗布面
３２…ガイド部
３３…栓部
３４…ガイドボス
３５…係合突部
４０…カバー
特許出願人      伸晃化学株式会社
【図１】
0006446227.tif 000002
【図２】
0006446227.tif 000003
【図３】
0006446227.tif 000004
【図４】
0006446227.tif 000005
【図５】
0006446227.tif 000006
【図６】
0006446227.tif 000007
【図７】
0006446227.tif 000008
【図８】
0006446227.tif 000009
【図９】
0006446227.tif 000010
【図１０】
0006446227.tif 000011
【図１１】
0006446227.tif 000012
【図１２】
0006446227.tif 000013